(57)【要約】【課題】対物レンズに入射する光束径を小さくしたり、対物レンズの口径を小さくすることなく、光学部品を配置する間隔を小さくして小型の光ピックアップ装置を提供する。【解決手段】本発明の光ピックアップ装置は、レーザ光源１と、レーザ光源１からの光束を透過あるいは反射するビームスプリッタプリズム２と、ビームスプリッタプリズム２を透過した光束を反射するミラー３と、対物レンズ４を備え、光源１からの光束がビームスプリッタプリズム２を透過した後、ミラー３で反射され、再度ビームスプリッタプリズム２に入射し、ビームスプリッタプリズム２で反射されて対物レンズ４へ導かれる構成よりなる。【選択図】図１
2006040366.tif 000002
【特許請求の範囲】
【請求項１】
光ディスクの記録情報を再生または情報を記録する光ピックアップ装置であって、レーザ光源と、前記レーザ光源からの光束を透過あるいは反射するビームスプリッタプリズムと、前記ビームスプリッタプリズムを透過した光束を反射するミラーと、対物レンズを備え、前記レーザ光源からの光束が前記ビームスプリッタプリズムを透過した後、前記ミラーで反射され、再度前記ビームスプリッタプリズムに入射し、前記ビームスプリッタプリズムで反射されて前記対物レンズへ導かれることを特徴とする光ピックアップ装置。
【請求項２】
光ディスクの記録情報を再生または情報を記録する光ピックアップ装置であって、レーザ光源と、前記レーザ光源からの光束を透過あるいは反射する偏光ビームスプリッタプリズムと、前記光束の偏光方向を変換して反射する偏光変換素子と、対物レンズを備え、前記光源からの光束が前記偏光ビームスプリッタプリズムを透過し、前記偏光変換素子によって偏光方向が変換されて反射された光束が、再度前記ビームスプリッタプリズムに入射し、前記偏光ビームスプリッタプリズムで反射されて前記対物レンズへ導かれることを特徴とする光ピックアップ装置。
【請求項３】
前記偏光変換素子が１／４波長板と反射ミラーとから構成されることを特徴とする請求項２記載の光ピックアップ装置。
【請求項４】
前記ビームスプリッタプリズムと前記対物レンズの間、または前記偏光ビームスプリッタプリズムと前記対物レンズの間にコリメータレンズを備え、前記ビームスプリッタプリズムまたは前記偏光ビームスプリッタプリズムで反射された光束を平行光にコリメートすることを特徴とする請求項１から３のいずれかに記載の光ピックアップ装置。
【発明の詳細な説明】
【技術分野】
【０００１】
本発明は、光ディスクの記録情報を再生または情報を記録する光ディスク装置に用いられる小型の光ピックアップ装置に関するものである。
【背景技術】
【０００２】
近年、ＣＤ、ＤＶＤといった光情報記録媒体を用いた光ディスク装置は、用途が多様化するに伴い、軽量、小型で携帯可能なものが開発されている。光ディスクについても従来より小径の規格が提案され、更に小型の光ディスク装置、及び、それに用いる小型の光ピックアップ装置が求められている。
【０００３】
従来の光ピックアップ装置を、図６及び図７に示す。図６は従来の光ピックアップ装置の構成図であり、図７は従来の光ピックアップ装置とその筐体、それらを光ディスクの半径方向にトラバースするためのガイドシャフト、及び、光ディスクを示す構成図であって、対物レンズから光束が出射する方向から見た図である。
【０００４】
光ピックアップ装置は、レーザ光源１、対物レンズ４、反射ミラー１１等の光学部品から構成され、レーザ光源１からの光束を反射ミラー１１によって光ディスクと対向する対物レンズ４へ導き、対物レンズ４で光束を集光した光スポットで光ディスク上の情報を再生または情報を記録する。
【０００５】
光ディスク装置やそれに用いる光ピックアップ装置の小型化を目的とした技術が、例えば、（特許文献１）に記載されている。
【特許文献１】特開２００３−６８８７号公報
【発明の開示】
【発明が解決しようとする課題】
【０００６】
しかしながら、光ピックアップ装置の小型化が進むにつれ、光学部品を配置する間隔を小さくする必要があるが、これにより光学部品間で光束が通過する距離、すなわち光路長が短くなる。これに相応してレーザ光源からの光束が発散する距離が小さくなり、対物レンズに入射する光束径は小さくなるために、トラッキング方向に対物レンズが移動したとき対物レンズの口径に対して十分な入射光量分布が得られず、これにより対物レンズの集光性が劣化して、高密度の情報の再生あるいは記録が困難になるなどの問題がある。
【０００７】
また、光束径が小さくなることに対応して、対物レンズの口径を小さくすると、それに伴って対物レンズの動作距離が小さくなることにより、対物レンズと光ディスクとの接触を起し易くなるなどの問題がある。
【０００８】
本発明はこのような問題点を解決するもので、対物レンズに入射する光束径を小さくしたり、対物レンズの口径を小さくすることなく、光学部品を配置する間隔を小さくして小型の光ピックアップ装置を提供することを目的としている。
【課題を解決するための手段】
【０００９】
本発明は上記課題を解決するためになされたもので、光ディスクの記録情報を再生または情報を記録する光ピックアップ装置であって、レーザ光源と、前記レーザ光源からの光束を透過あるいは反射するビームスプリッタプリズムと、前記ビームスプリッタプリズムを透過した光束を反射するミラーと、対物レンズを備え、前記レーザ光源からの光束が前記ビームスプリッタプリズムを透過した後、前記ミラーで反射され、再度前記ビームスプ
リッタプリズムに入射し、前記ビームスプリッタプリズムで反射されて前記対物レンズへ導かれることを特徴とする光ピックアップ装置である。
【発明の効果】
【００１０】
本発明によると、光束が同一の光路を往復する構成とすることによって光路長を長くすることができるため、口径の大きい対物レンズを用い、かつ、光学部品を配置する間隔を小さくしても、小型で高密度情報の再生あるいは記録が可能な光ピックアップ装置を提供することが可能となる。
【発明を実施するための最良の形態】
【００１１】
本願の第１の発明は、光ディスクの記録情報を再生または情報を記録する光ピックアップ装置であって、レーザ光源と、前記レーザ光源からの光束を透過あるいは反射するビームスプリッタプリズムと、前記ビームスプリッタプリズムを透過した光束を反射するミラーと、対物レンズを備え、前記レーザ光源からの光束が前記ビームスプリッタプリズムを透過した後、前記ミラーで反射され、再度前記ビームスプリッタプリズムに入射し、前記ビームスプリッタプリズムで反射されて前記対物レンズへ導かれることを特徴とする光ピックアップ装置である。
【００１２】
この構成により、光束は一旦、ビームスプリッタプリズムを透過した後、ミラーで反射することによって往復の光路を経るため、レーザ光源と対物レンズを配置する間隔を小さくしても光路長を長くすることができる。そのため、対物レンズに入射する光束径及び対物レンズの口径を大きくして、対物レンズの口径に対して十分な入射光量分布を得ることができ、小型であって高密度情報の再生あるいは記録が可能な光ピックアップ装置を提供することが可能となる。
【００１３】
本願の第２の発明は、光ディスクの記録情報を再生または情報を記録する光ピックアップ装置であって、レーザ光源と、前記レーザ光源からの光束を透過あるいは反射する偏光ビームスプリッタプリズムと、前記光束の偏光方向を変換して反射する偏光変換素子と、対物レンズを備え、前記光源からの光束が前記偏光ビームスプリッタプリズムを透過し、前記偏光変換素子によって偏光方向が変換されて反射された光束が、再度前記ビームスプリッタプリズムに入射し、前記偏光ビームスプリッタプリズムで反射されて前記対物レンズへ導かれることを特徴とする光ピックアップ装置である。
【００１４】
この構成により、光束の偏光方向により偏光ビームスプリッタプリズムによる透過及び反射を制御することで、光束の利用効率を高めることができる。
【００１５】
第２の発明において、前記偏光変換素子を１／４波長板と反射ミラーとから構成することができる。
【００１６】
また、第１または第２の発明において、前記ビームスプリッタプリズムと前記対物レンズの間、または前記偏光ビームスプリッタプリズムと前記対物レンズの間にコリメータレンズを備え、前記ビームスプリッタプリズムまたは前記偏光ビームスプリッタプリズムで反射された光束を平行光にコリメートすることができる。
【００１７】
この構成により、対物レンズのレンズシフトの影響を抑えて、更に小型で高密度情報の再生あるいは記録が可能な光ピックアップ装置を提供することが可能となる。
【００１８】
以下、本発明をその実施の形態に基づいて説明する。
【００１９】
（実施の形態１）
図１は本発明の実施の形態１に係る光ピックアップ装置の構成図である。図１において、レーザ光源１から出射された光束はビームスプリッタプリズム２に入射する。ビームスプリッタプリズム２の傾斜面にはビームスプリッタ膜２１が形成されており、入射光束の少なくとも一部がこのビームスプリッタ膜２１を透過する。透過した光束は、ミラー３で反射され、ビームスプリッタプリズム２に戻ってきた後、ビームスプリッタプリズム２の傾斜面に形成されたビームスプリッタ膜２１でその少なくとも一部が反射され、対物レンズ４に入射する。
【００２０】
図５は、本発明の実施の形態に係る光ピックアップ装置とその筐体、それらを光ディスクの半径方向にトラバースするためのガイドシャフト、及び、光ディスクを示す構成図であり、対物レンズから光束が出射する方向から見た図である。図５において、１はレーザ光源、２はビームスプリッタプリズム、３はミラー、８は光ディスク、９はガイドシャフト、１０は光ピックアップ装置の筐体である。
【００２１】
図６に示した従来の技術と比較すると、対物レンズ４上で同じ光束径を得るために、従来の技術ではレーザ光源１をビームスプリッタプリズム２から離した位置に置く必要があるが、本発明の光ピックアップ装置では、レーザ光源１をビームスプリッタプリズム２に接近させた配置とすることができ、光ピックアップ装置を小型にすることができる。
【００２２】
（実施の形態２）
図２は本発明の実施の形態２に係る光ピックアップ装置の構成図である。図２において、レーザ光源１から直線偏光を持った光束が出射され、偏光ビームスプリッタプリズム５に入射する。偏光ビームスプリッタプリズム５の傾斜面には偏光ビームスプリッタ膜５１が形成されており、入射光束の少なくとも一部がこの偏光ビームスプリッタ膜５１を透過する。
【００２３】
透過した往路の光束は、１／４波長板６を透過する際に円偏光に変換される。ミラー３で反射された復路の光束は、再度１／４波長板６を透過し、その際、往路の光束とは直交した偏光方向の直線偏光に変換される。光束は偏光ビームスプリッタプリズム５で少なくともその一部が反射されて対物レンズ４へ導かれる。偏光ビームスプリッタプリズム５の特性は、レーザ光源１から出射される光束の偏光方向に対して透過率が高く、１／４波長板６を透過した往路の偏光方向と直交した復路の光束の偏光方向に対しては反射率が高く設定されてある為、光束の光量を高く保ったまま対物レンズ４へ入射させることができる。
【００２４】
（実施の形態３）
図３は本発明の実施の形態３に係る光ピックアップ装置の構成図である。この実施の形態は、偏光ビームスプリッタプリズム５の傾斜面に偏光ビームスプリッタ膜５１が形成され、偏光ビームスプリッタプリズム５とミラー３との間に１／４波長板６が配置されていることは、実施の形態２と同様である。
【００２５】
図３において、レーザ光源１から直線偏光を持った光束が出射され、偏光ビームスプリッタプリズム５に入射する。偏光ビームスプリッタプリズム５の傾斜面には偏光ビームスプリッタ膜５１が形成されており、入射光束の少なくとも一部がこの偏光ビームスプリッタ膜５１を透過する。透過した往路の光束は、１／４波長板６を透過する際に円偏光に変換される。ミラー３で反射された復路の光束は、再度１／４波長板６を透過し、その際、往路の光束とは直交した偏光方向の直線偏光に変換される。
【００２６】
光束は偏光ビームスプリッタプリズム５で少なくともその一部が反射され、コリメータレンズ７で平行光にコリメートされて対物レンズ４へ導かれる。対物レンズ４に入射する
光束が平行光であるので、対物レンズ４がトラッキング動作によりレンズシフトしても光ディスクの記録情報の再生あるいは記録特性の変動が少ないという利点がある。
【００２７】
（実施の形態４）
図４は本発明の実施の形態４に係る光ピックアップ装置の構成図である。図４において、レーザ光源１から直線偏光を持った光束が出射され、偏光ビームスプリッタプリズム５に入射する。偏光ビームスプリッタプリズム５の傾斜面には偏光ビームスプリッタ膜５１が形成されており、入射光束の少なくとも一部がこの偏光ビームスプリッタ膜５１を透過する。
【００２８】
透過した往路の光束は、１／４波長板６を透過する際に円偏光に変換される。第１のミラー３１で反射された復路の光束は、再度１／４波長板６を透過し、その際、往路の光束とは直交した偏光方向の直線偏光に変換される。光束は偏光ビームスプリッタプリズム５で少なくともその一部が反射され、コリメータレンズ７で平行光にコリメートされ、第２のミラー３２で反射されて対物レンズ４へ導かれる。
【００２９】
偏光ビームスプリッタプリズム５の特性は、レーザ光源１から放射される光束の偏光方向に対して透過率が高く、１／４波長板６を透過した往路の偏光方向と直交した復路の光束の偏光方向に対しては反射率が高く設定されてある為、光束の光量を高く保ったまま対物レンズ４へ入射させて利用できる。
【００３０】
なお、本実施の形態では、レーザ光源１から対物レンズ４に至る往路光束中で同一の光路を往復する構成としたが、光ディスクから反射して戻る復路光束中にその構成を設けてもよい。この場合は、復路光束を受ける他の光学素子への光路を長くし、かつ、それらの光学素子を配置する間隔を小さくすることが可能となる。
【産業上の利用可能性】
【００３１】
本発明は、光ピックアップ装置の性能を維持しつつ小型化できるので、光ディスクの記録情報を再生または情報を記録する携帯型などの小型光ディスク装置に適応可能である。
【図面の簡単な説明】
【００３２】
【図１】本発明の実施の形態１に係る光ピックアップ装置の構成図
【図２】本発明の実施の形態２に係る光ピックアップ装置の構成図
【図３】本発明の実施の形態３に係る光ピックアップ装置の構成図
【図４】本発明の実施の形態４に係る光ピックアップ装置の構成図
【図５】本発明の実施の形態に係る光ピックアップ装置とその筐体、それらを光ディスクの半径方向にトラバースするためのガイドシャフト、及び、光ディスクを示す構成図
【図６】従来の技術における光ピックアップ装置の構成図
【図７】従来の技術における光ディスク装置の構成図
【符号の説明】
【００３３】
１    レーザ光源
２    ビームスプリッタプリズム
３    ミラー
４    対物レンズ
５    偏光ビームスプリッタプリズム
６    １／４波長板
７    コリメータレンズ
８    光ディスク
９    ガイドシャフト
１０    光ピックアップ装置の筐体
２１    ビームスプリッタ膜
３１    第１のミラー
３２    第２のミラー
５１    偏光ビームスプリッタ膜
【図１】
2006040366.tif 000003
【図２】
2006040366.tif 000004
【図３】
2006040366.tif 000005
【図４】
2006040366.tif 000006
【図５】
2006040366.tif 000007
【図６】
2006040366.tif 000008
【図７】
2006040366.tif 000009